(57)【要約】【課題】画像形成装置を複数台使用し、当該画像形成装置内の環境を空調装置で空調制御する場合の低コスト化、効率化及び省スペース化を図る。【解決手段】複数の画像形成装置２−１，２，３と、画像形成装置２−１，２，３の装置内に空調用の制御気流を供給する空調装置４と、を有する画像形成システム１において、空調装置４から画像形成装置２−１，２，３のそれぞれに前記気流を供給するための複数の制御気流供給口５−１，２，３を備え、制御気流を制御気流供給口５−１，２，３から直接画像形成装置２−１，２，３内に供給し、装置内の環境制御個所３−１，２，３に作用させる。【選択図】図１
2014016385.tif 000002
【特許請求の範囲】
【請求項１】
複数の画像形成装置と、
前記画像形成装置の装置内に空調用の制御気流を供給する空調装置と、
前記空調装置から前記画像形成装置のそれぞれに前記制御気流を供給するための複数の接続手段と、
を備えた画像形成システム。
【請求項２】
請求項１に記載の画像形成システムにおいて、
前記画像形成装置が、
前記空調装置から供給される制御気流を装置内の環境制御個所に案内する流路と、
前記接続手段に連結され、前記制御気流を前記流路に取り込む制御気流給気部と、
を備えていること
を特徴とする画像形成システム。
【請求項３】
請求項２に記載の画像形成システムにおいて、
前記接続手段が、
前記空調装置側の制御気流供給部と、
当該制御気流供給部及び前記制御気流給気部間を連通するダクトと、
を含むこと
を特徴とする画像形成システム。
【請求項４】
請求項２又は３に記載の画像形成システムにおいて、
前記空調装置が、
周囲温度よりも高温の制御気流を発生する高温気流発生部と、
周囲温度よりも低温の制御気流を発生する低温気流発生部と、
を備えていること
を特徴とする画像形成システム。
【請求項５】
請求項４に記載の画像形成システムにおいて、
前記高温気流発生部及び前記低温気流発生部のいずれかを選択し、前記制御気流を高温又は低温に切り替える切替手段を備えたこと
を特徴とする画像形成システム。
【請求項６】
請求項２ないし５のいずれか１項に記載の画像形成システムにおいて、
前記制御気流の流量を制御する流量制御手段を備えたこと
を特徴とする画像形成システム。
【請求項７】
請求項６に記載の画像形成システムにおいて、
前記環境制御個所に設けられ、当該環境制御個所の温度を検出する温度検出手段と、
前記温度検出手段によって検出された温度に基づいて前記切替手段による切替制御及び前記流量制御手段による流量制御の一方を実行させる制御手段と、
を備えたこと
を特徴とする画像形成システム。
【請求項８】
請求項６に記載の画像形成システムにおいて、
前記環境制御個所に設けられ、当該環境制御個所の温度を検出する温度検出手段と、
前記温度検出手段によって検出された温度に基づいて、前記制御気流の目標温度及び前記流量制御手段による流量制御の一方を実行させる制御手段と、
を備えたこと
を特徴とする画像形成システム。
【請求項９】
請求項１ないし８のいずれか１項に記載の画像形成システムにおいて、
前記空調装置が前記画像形成装置とは別体に設けられていること
を特徴とする画像形成システム。
【請求項１０】
請求項１ないし８のいずれか１項に記載の画像形成システムにおいて、
前記空調装置が前記複数の画像形成装置のうちの１つの画像形成装置内に設けられていること
を特徴とする画像形成システム。
【発明の詳細な説明】
【技術分野】
【０００１】
本発明は、画像形成システムに係り、さらに詳しくは複数の画像形成装置と当該装置内に高温若しくは低温の制御気流を供給する空調装置とを備えた画像形成システムに関する。
【背景技術】
【０００２】
図１１は、従来から実施されている画像形成装置の概略構成を示す図である。この画像形成装置２は、モノクロのプリンタである。同図において、画像形成装置２は、感光体２０１と、この感光体２０１の外周に沿って配置され、感光体２０１とともに１つのユニットを構成する帯電装置２０２と現像装置２０４を含む作像プロセスユニット２１１、露光装置２０３、転写装置２０５、クリーニング装置２０６、給紙装置２０７、定着装置２０９、並びに電装ユニット２１０とを備えている。作像プロセスユニット２１１は一体で装置本体２１２に対して取り付け取り外し可能である。
【０００３】
帯電装置２０２は感光体２０１表面に電荷を与え、露光装置２０３は帯電した各感光体２０１の表面に各色の画像データに基づいて露光し、潜像を形成する。現像装置２０４は感光体２０１表面に形成された潜像をトナー現像してトナー像を形成し、感光体２０１表面上のトナー像は転写装置２０５によって給紙部２０７から供給される用紙に転写される。クリーニング装置２０６はトナー像転写後の感光体２０１表面をクリーニングする。定着装置２０９は転写装置２０５の下流側に設置されている。
【０００４】
給紙装置２０７の給紙トレイには用紙が収納され、印刷要求に合わせて、給紙搬送手段によりレジストローラ２０８まで搬送される。ここでトナー像の転写のタイミングに合わせて、用紙はレジストローラ２０８から転写装置２０５まで搬送される。前述の転写装置２０５で用紙上にトナー像が転写された後、当該用紙は定着装置２０９まで搬送され、熱と圧力によってトナー像が定着される。
【０００５】
帯電装置２０２、現像装置２０４、転写装置２０５は電装ユニット２１０に接続され、所定のバイアスが印加される。電装ユニット２１０内部には交流電源（定電圧）、第１の直流電源（定電圧）、第２の直流電源（定電流）を備え、各電源は、現像装置２０４には定電圧制御でＤＣ電圧を、帯電装置２０２には定電圧制御でＡＣ電圧を、転写装置２０５には定電流制御でＤＣ電圧を印加することができる。
【０００６】
このような電子写真方式による画像形成装置２は、装置内に備えられる画像形成要素が環境変化の影響を受けやすい。特に、温度及び湿度によって特性が変化する。そのため、この特性の変化に対応する必要がある。
【０００７】
温度に関しては、画像形成装置２においては、装置内に設けられた露光（書込）装置２０３、定着装置２０９及び現像装置２０４、感光体（像担持体）２０１などを回転駆動させる駆動モータなどの様々な個所で発熱し、装置内を温度上昇させることが知られている。例えば、現像装置２０４においては、現像装置２０４内の現像剤を撹拌搬送する現像剤撹拌搬送部材を駆動した際に、現像剤撹拌搬送部材と現像剤との摺擦による摩擦熱、あるいは現像剤同士の摺擦による摩擦熱が、装置内の温度上昇の原因となる。
【０００８】
また、現像剤を現像領域に搬送する前に現像剤担持体上に担持されている現像剤の層厚を規制する現像剤規制部材と現像剤との摺擦による摩擦熱、あるいは現像剤規制部材による規制の際の現像剤同士の摺擦による摩擦熱も、現像装置内の温度を上昇させる原因となる。
【０００９】
このように現像装置内の温度が上昇すると、トナーの帯電量が低下してトナー付着量が増加し、所定の画像濃度が得られなくなる。また、温度上昇によりトナーが溶融して凝集し、現像剤規制部材、現像剤担持体、あるいは像担持体などに固着し、画像にスジ状の異常画像などが生じるおそれがある。特に、近年、定着エネルギーを小さくするために溶融温度の低いトナーを用いることが多くなっており、このような溶融温度の低いトナーでは、トナーの凝集による異常画像などが生じやすい。
【００１０】
湿度については、画像形成装置２では、トナー、キャリアなどの帯電微粒子及び帯電している感光体２０１を用いて作像するので、装置内部の空気の組成、特に湿度の影響によりそれらの帯電状態が変化することによって画像品質が不安定となってしまう。例えば、電子写真装置に使用するトナー及びキャリアなどの帯電微粒子は高分子樹脂に帯電制御剤を添加することで静電的な帯電状態を安定化するように設計されている。しかし、高分子樹脂の電気的な特性は疎水化処理などを尽くしても気中の水分を取り込み、電気抵抗、粉体同士の摩擦係数あるいは流動性変化などを引き起こす。その結果、現像装置２０４内のトナー帯電量を低下させてしまい、濃度上昇などの画質変動を招いてしまう場合がある。
【００１１】
放電現象を利用している帯電装置２０２では、放電に伴って硝酸化合物が生成され、これが気中の水分と結合することにより硝酸及び硝酸塩などのイオン化物質が感光体２０１の表面に付着する。この付着により感光体２０１の表面の劣化が加速され、感光体２０１の異常磨耗を招く原因となる。また、イオン化物質によって表面が導電化することによる静電潜像のぼやけ、いわゆる画像流れが発生してしまう。
【００１２】
このような問題に対応するには、基本的には空調装置を設ければよい。一般的な空調装置として蒸気圧縮式冷凍機１００の構成及び動作原理を図１２に示す。図１２（ａ）において、蒸気圧縮式冷凍機１００は冷媒を圧縮する圧縮機１０１、冷媒と空気との熱交換を行う第１の熱交換器（凝縮器）１０２、第２の熱交換器（蒸発器）１０３、冷媒を減圧する膨張弁１０４、及び冷媒の流路を切り替える四方弁１０５から構成される。また、以下のサイクルを繰り返すことで、空気を加熱したり、冷却したりすることができる。
【００１３】
１．圧縮：低圧・低温の冷媒蒸気を圧縮機１０１により圧縮して高圧・高温の冷媒蒸気にする。  
２．凝縮：圧縮機１０１で高圧・高温になった冷媒蒸気は、第１の熱交換器１０２に送られ空気との熱交換することで冷却され冷媒液にする（空気は加熱される）。  
３．膨張：第１の熱交換器１０１により液化された高圧の冷媒液は、膨張弁１０４により減圧される。  
４．蒸発：膨張弁１０４で減圧された冷媒液が、第２の熱交換器１０３において蒸発し、空気から熱を奪う（空気は冷却される）。
【００１４】
前記過程は、図１２（ｃ）の温度ＴとエントロピＳのＴ−Ｓ線図で説明される。圧縮機１０１は、冷媒の乾き飽和蒸気Ａを第１の熱交換器１０２における所定温度に対する飽和蒸気圧以上の圧力まで圧縮し、過熱飽和蒸気Ｂにして第１の熱交換器１０２に送る。第１の熱交換器１０２に送られた過熱飽和蒸気Ｂは空気との熱交換によって熱Ｑ１を捨てて、冷やされて液化し、飽和液Ｃになる。この飽和液Ｃは膨張弁１０４に送られ、膨張弁１０４によって等エンタルピ膨張を行い、湿り蒸気Ｄになり第２の熱交換器１０３に送られる。第２の熱交換器１０３に送られた湿り蒸気Ｄは空気から熱量Ｑ２を吸収し、気化して乾き飽和蒸気Ａに戻る。
【００１５】
図１２（ｂ）は図１２（ａ）の状態から四方弁１０５を切り替えたときの状態を示す図である。すなわち、図１２（ａ）に示すように、四方弁１０５により冷媒の流路を、
圧縮機１０１→第１の熱交換器１０２→膨張弁１０４→第２の熱交換器１０３
という状態から図１２（ｂ）に示すように
圧縮機１０１→第１の熱交換器１０２→膨張弁１０５→第２の熱交換器１０３
となるように切り替えることにより、第１の熱交換器１０１と第２の熱交換器１０３を凝縮器と蒸発器及び蒸発器と凝縮器として機能させることができる。
【００１６】
このような空調装置により画像形成装置全体を空調しようとすると制御対象となる容量が大きくなり、制御能力に見合ったコスト、大きさ、騒音、電力消費増大を招いてしまう。
【００１７】
そこで、感光体、現像ユニットなどからなる作像部のみ空調する技術が例えば特開２００３−１２２２０８号公報（特許文献１）及び特許第３９２４４８４号公報（特許文献２）に開示されている。
【００１８】
このうち特許文献１には、感光体の周囲から、作像に有害な要因物質を効率よく除去することを目的とし、本体ケースと、少なくとも感光体が作像ケース内に収納された作像ユニットであって、前記本体ケース内に取り付けられた状態において作像に有害な要因物質が前記作像ユニット内に流入する可能性のある開口として前記感光体の一部が露出する転写用開口のみが形成された作像ユニットと、前記作像ユニット内に外部から流入する作像に有害な要因物質を除去する空気調整手段と、を有し、前記作像ユニットの外部から前記作像ユニット内を経由して前記作像ユニットの外部に通じる流路が形成され、この流路の入口側に前記空気調整手段が設けられていること、及び、前記作像ユニット内の空気がこの作像ユニット外に排出された後に前記作像ユニット内に流入する循環流路が設けられ、この循環流路の途中に前記空気調整手段が設けられた発明が記載されている。
【００１９】
また、特許文献２には、電子写真方式の画像形成装置が設置されている環境の温度や湿度が変化した場合であっても、クリーニングブレードによる感光体上の残留トナーを掻き落とす性能を良好な状態に維持することができるようにすることを目的とし、暖められた空気を供給する加熱動作や冷却された空気を供給する冷却動作を行う温度調整装置を備え、前記クリーニングブレードの温度を調節する機能を有する空調手段と、前記クリーニングブレードの温度を測定する温度センサと、前記クリーニングブレードの温度が前記クリーニングブレードによる残留トナーの掻き落としを適正に行える温度となるように、前記温度センサの検出値と予め設定されている基準値温度とに応じて前記空調手段を駆動させる温度制御手段と、を有する電子写真方式の画像形成装置において、少なくも前記感光体と前記現像ユニットと前記クリーニングユニットとがケース内に収納され、そのケース内が略密閉空間とされてそれぞれ異なる色の画像形成が行われる作像モジュールが複数設けられ、前記空調手段により温度が調節される空間が前記作像モジュール内の略密閉空間であり、前記基準値温度が前記作像モジュールごとに設定されていることを特徴とする発明が記載されている。
【００２０】
また、特許文献２には、前記温度調整手段に代えてあるいは温度調整手段とともに湿度を調整する湿度調整手段を備え、前記基準値温度に代えて基準値湿度として発明も開示されている。
【発明の概要】
【発明が解決しようとする課題】
【００２１】
一方、いわゆるプロダクションプリンティングといわれるような印刷業としての領域では、高速出力と高画質が要求されており、前述の画像形成装置の環境制御が必要になりつつある。プロダクションプリンティングとは、大手企業などで請求書や財務諸表などの出力を専門に行う業務出力センター、印刷事業者やダイレクトメール（ＤＭ）事業者、企業内コピーセンターなどが含まれる。このプロダクションプリンティングの領域では、プリントする対象の種類、用途、印刷部数などにより異なる画像形成装置で出力する場合が多く、複数の画像形成装置を設置して使用している場合も多く見られる。このように複数の画像形成装置を設置して印刷する場合、複数の画像形成装置を設置するためのスペースを小さくすることは難しく、複数の画像形成装置分のコストも当然低減することはできない。
【００２２】
これらの点を考慮して前述の特許文献１及び２に記載されているように、感光体及び現像ユニットなどからなる作像部のみ空調するようにしても、空調手段は従来から冷却手段として用いられてきたファンと比較してコストが高く、また、大きなスペースが必要である。さらに、画像形成装置を複数台使用するためのスペースは従来と変わることはない。また、空調手段により画像形成装置全体を空調しようとすると制御対象となる容量が大きくなり、制御能力に見合ったコスト、大きさ、騒音、電力消費量がそれぞれ増大してしまうことになる。
【００２３】
そこで、本発明が解決しようとする課題は、装置内が空調制御される画像形成装置を複数台使用するシステムの低コスト化、効率化及び省スペース化を図ることにある。
【課題を解決するための手段】
【００２４】
前記課題を解決するため、本発明は、複数の画像形成装置と、前記画像形成装置の装置内に空調用の制御気流を供給する空調装置と、前記空調装置から前記画像形成装置のそれぞれに前記制御気流を供給するための複数の接続手段と、を備えた画像形成システムを特徴とする。
【発明の効果】
【００２５】
本発明によれば、装置内が空調制御される画像形成装置を複数台使用するシステムの低コスト化、効率化及び省スペース化を図ることができる。  
前記以外の課題、構成及び効果は、後述の実施形態の説明によって明らかになる。
【図面の簡単な説明】
【００２６】
【図１】本発明の実施形態における実施例１に係る画像形成装置の概略構成を示す図である。
【図２】実施例２に係る画像形成システムの概略構成を示す図である。
【図３】実施例３に係る画像形成システムの概略構成を示す図である。
【図４】実施例３において、第１及び第２の画像形成装置に接続される第１ないし第８の開閉弁の開閉パターンを表として示す図である。
【図５】実施例４に係る画像形成システムの概略構成を示す図である。
【図６】実施例５に係る画像形成システムの概略構成を示す図である。
【図７】実施例５において、第１の画像形成装置における第１の温度センサの検出値と第１の環境制御個所の目標温度との差と、第１ないし第４の開閉弁の開閉状態及び第１の流量調整弁の開度との関係を表として示す図である。
【図８】実施例６に係る画像形成システムの概略構成を示す図である。
【図９】実施例６において、各画像形成装置における各温度センサの検出値と各環境制御個所の目標温度との差の最大値、制御気流流量及び制御気流温度の関係を表として示す図である。
【図１０】実施例７に係る画像形成システムの概略構成を示す図である。
【図１１】従来から実施されている画像形成装置の概略構成を示す図である。
【図１２】一般的な空調手段として蒸気圧縮式冷凍機の構成及び動作原理を示す図である。
【発明を実施するための形態】
【００２７】
本発明は、１台の空調装置を用いて複数台の画像形成装置内の所望の環境制御個所の温度を各画像形成装置の前記環境制御個所の状態に合わせて制御するようにしたことを特徴としている。以下、図面を参照し、本発明の実施の形態について実施例を挙げて説明する。なお、以下の各実施例において同一若しくは同一と見なすことができる構成要素には、同一の参照符号を付し、重複する説明は適宜省略する。
【実施例１】
【００２８】
図１は実施例１に係る画像形成システムの概略構成を示す図である。図１において、本実施形態に係る画像形成システム１は、複数の画像形成装置２（本実施例では第１ないし第３の３台の画像形成装置２−１，２，３）と、各画像形成装置２のそれぞれの予め設定された環境制御個所３（本実施例では、第１ないし第３の環境制御個所３−１，２，３）に対して空調を行うための空調装置４とを備えている。すなわち、本実施例では、１台の空調装置４と３台の画像形成装置２−１，２，３とからなるシステムである。なお、以下の説明において、３台の画像形成装置２−１，２，３及び３台の画像形成装置２−１，２，３にそれぞれ設けられた各部について、それぞれ個別に説明する場合、あるいは個別に示す場合には、添え字１，２，３を付し、それぞれ全体として説明する場合には、添え字を省略して示す。また、各部に付した添え字１，２，３は、同一系統の構成要素、例えば第１の、第２の、第３のという語句で区別している構成要素では、それぞれ同一の構成要素群に属していることを示している。
【００２９】
空調装置４は、複数の制御気流供給口５及び排気吸引口６を備えている。本実施例では、制御気流供給口５及び排気吸引口６は環境制御個所３の数に合わせてそれぞれ第１ないし第３の制御気流供給口５−１，２，３及び第１ないし第３の排気吸引口６−１，２，３からなる。制御気流供給口５及び排気吸引口６はそれぞれ図示しない継手になっており、エアダクトと接続可能で接続しないときは外気に対して密閉される。なお、継手の密閉及び開放動作は空調装置４内の制御装置９によって行われる。
【００３０】
制御気流給気口５へは、空調装置４で生成される制御気流が空調装置４内の図示しないファンにより供給される。また、排気吸引口６からは、画像形成装置３からの排気が空調装置４内の図示しないファンにより吸引される。空調装置４は、排気吸引口６から吸引された空気は、空調装置４内の熱交換器９において冷媒と熱交換され、所定の温度（若しくは湿度）に制御され、制御気流供給口５から各画像形成装置２−１，２，３に供給される。このように構成することにより空調装置４は１台で複数台の画像形成装置２−１，２，３の制御気流を供給することができる。
【００３１】
第１ないし第３の画像形成装置２−１，２，３は、それぞれ第１ないし第３の制御気流供給口１０−１，２，３と第１ないし第３の制御気流排気口１１−１，２，３を備えている。第１ないし第３の制御気流供給口１０−１，２，３は前記第１ないし第３の制御気流供給口５−１，２，３と第１ないし第３の供給ダクト１２−１，２，３を介して接続されている。第１ないし第３の制御気流排気口１１−１，２，３は前記第１ないし第３の排気吸引口６−１，２，３と第１ないし第３の排気ダクト１３−１，２，３を介して接続されている。
【００３２】
第１の画像形成装置２−１では、第１の制御気流給気口１０−１が第１の機内流路１４−１を介して第１の冷却ダクト１５−１と連結され、第１の冷却ダクト１５−１は第１の制御気流排気口１１−１と連結されている。同様に第２及び第３の画像形成装置２−２，３では、第２及び第３の制御気流給気口１０−２，３が第２及び第３の機内流路１４−２，３を介して第２及び第３の冷却ダクト１５−２，３と連結され、第２及び第３の冷却ダクト１５−２，３は第２及び第３の制御気流排気口１１−２，３とそれぞれ連結されている。第１ないし第３の冷却ダクト１５−１，２，３は、アルミニウムなどの比較的熱伝導率が高い材質で構成され、第１ないし第３の画像形成装置２−１，２，３にそれぞれ設定された第１ないし第３の環境制御個所１６−１，２，３と密着している。
【００３３】
第１ないし第３の画像形成装置２−１，２，３では、第１ないし第３の制御気流給気口１０−１，２，３からそれぞれ給気された空調装置４の制御気流が、第１ないし第３の機内流路１４−１，２，３を経て第１ないし第３の冷却ダクト１５−１，２，３にそれぞれ送られる。第１ないし第３の冷却ダクト１５−１，２，３では、制御気流と第１ないし第３の環境制御個所１６−１，２，３との間でそれぞれ熱交換が行われる。さらに、第１ないし第３の冷却ダクト１５−１，２，３を通った後の気流は、第１ないし第３の制御気流排気口１１−１，２，３からそれぞれ排出される。
【００３４】
このように構成すると、装置外の１台の空調装置４から送られる制御気流の温度により環境制御個所３−１，２，３の温度及び湿度を制御することができる。また、本実施例では、空調装置４が画像形成装置３の外に設けられているので、画像形成装置３自体は大きくならならず複数の画像形成装置３−１，２，３のそれぞれの装置設置の自由度及び機能の自由度を高くすることができる。
【００３５】
また、環境制御個所３−１，２，３は、画像形成装置２においては、例えば装置内に設けられた露光（書込）装置２０３、定着装置２０９及び現像装置２０４、感光体（像担持体）２０１などを回転駆動させる駆動モータなどの発熱部位について設定される。その際、これらの装置を１つのグループ、若しくは近傍にある装置同士をまとめて複数のグループに分けて設定する。グループ分けには各部の発熱量が勘案される。画像形成装置２内の複数個所に環境制御個所が設定された場合、機内流路も１つの画像形成装置２内に複数分岐して設けられ、分岐した数と同数の冷却ダクトに制御気流を供給する。
【００３６】
なお、本実施例において、制御気流は空調装置４内のファンにより、第１ないし第３の各画像形成装置３−１，２，３に供給し、また各画像形成装置３−１，２，３から吸引され、空調装置４側に戻されているが、制御気流を供給、吸引するファン８，９は空調装置４内ではなく、第１ないし第３の画像形成装置３−１，２，３内あるいは供給ダクト１２あるいは排気エアダクト１３内のいずれかに設けることもできる。さらに、供給ダクト１２、排気ダクト１３、画像形成装置３内の機内流路の圧損が大きいときは、空調装置４、画像形成装置３、吸気及び排気ダクト１２，１３の適宜位置に任意の数のファンを設けて所望の流量を確保するように構成することもできる。
【実施例２】
【００３７】
図２は実施例２に係る画像形成システムの概略構成を示す図である。図２において、本実施例に係る画像形成システム１は、複数の画像形成装置２（本実施例では第１ないし第３の３台の画像形成装置２−１，２，３）と、各画像形成装置２のそれぞれに対して高温制御気流と低温制御気流によって空調を行うための空調装置４とを備えている。本実施例も実施例１と同様に、１台の空調装置４と３台の画像形成装置２−１，２，３とからなるシステムである。第１ないし第３の画像形成装置２−１，２，３自体は実施例１における第１ないし第３の画像形成装置２−１，２，３と同一である。
【００３８】
本実施例では、空調装置４は、第１及び第２の低温制御気流供給口５Ａ−１，２、第１及び第２の低温排気吸引口６Ａ−１，２、高温制御気流供給口５Ｂ、低温排気吸引口６Ｂを備えている。第１及び第２低温制御気流供給口５Ａ−１，２及び高温制御気流供給口５Ｂは実施例１における第１ないし第３の制御気流供給口５−１，２，３を低温側２個と高温側１個にそれぞれ分け、同様に第１及び第２の低温排気吸引口６Ａ−１，２及び高温排気吸引口６Ｂは実施例１における第１ないし第３の排気吸引口６−１，２，３を低温側２個と高温側１個にそれぞれ分けて設けたものある。
【００３９】
この実施例では、低温制御気流供給口５Ａ−１，２に対してそれぞれ給気ダクト１２−１，２が接続され、第１及び第２の画像形成装置２−１，２内の機内流路１５−１，２の制御気流給気口１０−１，２から低温の制御気流が供給される。高温制御気流供給口５Ｂに対しては給気ダクト１２−３が接続され、第３の画像形成装置２−３内の機内流路１５−３の制御気流給気口１０−３から高温の制御気流が供給される。低温排気吸引口６Ａ−１，２に対してはそれぞれの排気ダクト１３−１，２が接続され、第１及び第２の画像形成装置２−１，２内の機内流路１５−１，２の制御気流排気口１１−１，２から排気される低温の制御気流を吸引する。高温制御気流供給口６Ｂに対しては給気ダクト１２−３が接続され、第３の画像形成装置２−３内の機内流路１５−３の制御気流給気口１０−３から排気される高温の制御気流を吸引する。
【００４０】
空調装置４は前述の図１２に示した蒸気圧縮式冷凍機１００であり、低温排気吸引口６Ａから吸引された空気を、蒸発器１０３を経た低温の空気として低温制御気流供給口５Ａ−１，２から第１及び第２の画像形成装置２−１，２に供給する。また、高温排気吸引口５Ｂから吸引された空気を、凝縮器１０２を経た高温の空気として高温制御気流供給口５Ｂから第３の画像形成装置２−３に供給する。前者では、画像形成装置２−１，２内の第１及び第２の冷却ダクト１５−１，２で熱交換され、後者では、画像形成装置２−３内の第３の冷却ダクト１５−３で熱交換される。
【００４１】
低温制御気流供給口５Ａ−１，２、高温制御気流供給口５Ｂ、低温排気吸引口６Ａ−１，２及び高温排気吸引口６Ｂはそれぞれ図示しない継手になっており、前二者の供給口５Ａ−１，２、５Ｂは供給ダクト１２−１，２，３と接続可能であり、後二者の吸引口６Ａ−１，２，６Ｂは排気ダクト１３−１，２，３と接続可能である。いずれも供給ダクト１２あるいは排気ダクト１３と接続しないときは、外気に対して密閉あるいは開放のいずれかが選択できる。
【００４２】
このように本実施例においては、第１及び第２の画像形成装置２−１，２が低温制御気流供給口５Ａ−１，２及び低温排気吸引口６Ａ−１，２と接続され、第３の画像形成装置２−３が高温制御気流供給口５Ｂ及び高温排気吸引口６Ｂと接続され、それぞれ低温の制御気流、高温の制御気流が、給気ダクト１２−１，２，３を介して当該ダクトが接続された画像形成装置に供給される。その他の各部は、実施例１と同様であるので省略する。
【００４３】
このように構成すると、１台の空調装置４で第１ないし第３の画像形成装置２−１，２，３のそれぞれの環境制御個所３−１，２，３し、別々に加熱し、あるいは冷却することができる。また、空調装置４で発生する高温気流及び低温気流を用いるので、冷却装置と加熱装置を別々に備える構成に比べて必要なエネルギーが少なくなる。
【００４４】
すなわち、本実施例のような蒸気圧縮式冷凍機１００を用いた場合、蒸発器１０３において熱交換される熱量をＱｅ、凝縮器１０２において熱交換される熱量をＱｃ、圧縮機１０１の仕事による熱量をＱｃｏｍｐとすると、
Ｑｃ＝  Ｑｅ＋  Ｑｃｏｍｐ・・・（１）
となる。一方、画像形成装置２の冷却に必要な熱量は蒸発器１０３、画像形成装置２の加熱に必要な熱量は凝縮器１０２により熱交換される。そこで、画像形成装置２の加熱と冷却に必要な熱量が式（１）の関係にならない場合、凝縮器１０２及び蒸発器１０３の熱交換量が、加熱及び冷却に必要な熱量よりも大きくなるように圧縮機１０１を稼動するとともに、低温制御気流供給口５Ａ−１，２、高温制御気流供給口５Ｂ、低温排気吸引口６Ａ−１，２及び高温排気吸引口６Ｂの継手を開放し、余剰分を周囲の空気と熱交換させる。
【００４５】
例えば、本実施例において、定常状態における第１の画像形成装置２−１の必要冷却熱量が１００Ｗ、第２の画像形成装置２−２の必要冷却熱量が１５０Ｗ、第３の画像形成装置２−３の必要加熱熱量が８０Ｗであるとする。第１及び第２の画像形成装置２−１，２の冷却条件に合わせて圧縮機１０１を稼動させると、圧縮機１０１の仕事による熱量は１００Ｗとなり、凝縮器１０２の熱交換量は第３の画像形成装置２−３の加熱に必要な交換熱量よりも２７０（＝１００＋１５０＋１００−８０）Ｗ大きくなる。また、第３の画像形成装置２−３の加熱条件に合わせて圧縮機１０１を稼動させると、圧縮機１０１の仕事による熱量は３０Ｗであり、蒸発器１０３の交換熱量は、第１及び第２の画像形成装置２−１，２の冷却に必要な交換熱量よりも２００（＝１００＋１５０＋３０−８０）Ｗ小さくなる。この場合、圧縮機１０１は第１及び第２の画像形成装置２−１，２の冷却条件に合わせて稼動し、高温制御気流供給口５Ｂ及び高温排気吸引口６Ｂの継手を開放する。これにより、凝縮器１０２で周囲の空気と２７０Ｗの熱交換が行われる。このようにして所望の加熱熱量及び冷却熱量を得ることができる。
【００４６】
なお、継手の密閉あるいは開放の選択は、継手内の開閉手段、例えば弁手段を制御装置９によって制御することにより行われる。
【００４７】
その他、特に説明しない各部は実施例１と同様に構成され、同様に機能する。
【実施例３】
【００４８】
図３は実施例３に係る画像形成システムの概略構成を示す図である。図３において、本実施例に係る画像形成システム１は、複数の画像形成装置２と、各画像形成装置２のそれぞれに対して高温制御気流と低温制御気流によって空調を行うための空調装置４とを備えている。すなわち、本実施例では、１台の空調装置４と実施例２における２台の第１及び第２の画像形成装置２−１，２によりシステムが構成されている。第１及び第２の画像形成装置２−１，２自体の構成は実施例２における第１及び第２の画像形成装置２−１，２と同一である。
【００４９】
空調装置４は、低温制御気流供給口５Ｃ、低温排気吸引口６Ｃ、高温制御気流供給口５Ｄ、低温排気吸引口６Ｄを備えている。低温制御気流供給口５Ｃ及び高温制御気流供給口５Ｄは実施例２における第１の低温制御気流供給口５Ａ−１及び高温制御気流供給口５Ｂに、低温排気吸引口６Ｃ及び高温排気吸引口６Ｄは実施例２における第１の低温排気吸引口６Ａ−１及び高温排気吸引口６Ｂにそれぞれ対応する。そして、本実施例では、空調装置４から第１及び第２の画像形成装置２−１，２にそれぞれ低温の制御気流と高温の制御気流を供給できるようになっている。そのため、空調装置４からの第１及び第２の画像形成装置２−１，２に接続される給気ダクト１２及び排気ダクト１３と各低温制御気流供給口５Ｃ、低温排気吸引口６Ｃ、高温制御気流供給口５Ｄ、低温排気吸引口６Ｄとの接続管路に給排を選択する開閉弁が切替手段として配置されている。
【００５０】
この切り替えのため、第１の画像形成装置２−１及び第２の画像形成装置２−２の制御気流給気口１０−１，２と接続される給気ダクト１２−１，２はそれぞれ途中で分岐しており、一方は、低温制御気流給気口５Ｃ、他方は高温制御気流給気口５Ｂと接続されている。同様に、第１の画像形成装置２−１及び第２の画像形成装置２−２の制御気流排気口１１−１，２と接続される排気ダクト１３−１，２もそれぞれ途中で分岐しており、一方は、低温排気吸引口６Ｃ、他方は高温排気吸引口６Ｄと接続されている。また、それらの接続部において図３に示す接続位置に第１ないし第８の開閉弁７−１〜８が設けられている。
【００５１】
図４は第１及び第２の画像形成装置２−１，２に接続される第１ないし第８の開閉弁７−１〜８の開閉パターンを表として示す図である。なお、図４では、第１の画像形成装置２−１を画像形成装置１、第２の画像形成装置７−２を画像形成装置２、第１の開閉弁７−１を開閉弁１、第２の開閉弁７−２を開閉弁２、・・・、第８の開閉弁７−８を開閉弁８のように記している（以下、同様）。各画像形成装置７−１，２の給気ダクト１２−１，２及び排気ダクト１３−１，２との接続においては、低温制御気流供給口５Ｃと低温排気吸引口６Ｃに接続される第１ないし第４の開閉弁７−１〜４は同様に開閉し、高温制御気流供給口５Ｄと高温排気吸引口６Ｄに接続される第５ないし第８の開閉弁７−５〜８は低温制御気流供給口５Ｃと低温排気吸引口６Ｃとは逆になるように開閉する。
【００５２】
このように構成すると、第１ないし第３の開閉弁７−１〜８を開閉動作させることによって、各画像形成装置２−１，２の環境制御個所３−１，２に対し、別々に加熱あるいは冷却を行い、それらを切り替えることができる。なお、各画像形成装置２−１，２の加熱あるいは冷却は、当該画像形成装置２−１，２の状態（稼動、待機など）に応じて制御装置９による切替制御により実行される。
【００５３】
その他、特に説明しない各部は実施例１と同様に構成され、同様に機能する。
【実施例４】
【００５４】
図５は実施例４に係る画像形成システムの概略構成を示す図である。図５において、本実施例に係る画像形成システム１は、実施例１における画像形成システム１の第１ないし第３の画像形成装置２−１，２，３の第１ないし第３の制御気流給気口１０−１，２，３に制御気流の流量を調整する第１ないし第３の流量調整弁８−１，２，３をそれぞれ設けたものである。
【００５５】
本実施例において、各流量調整弁８−１，２，３は、各画像形成装置２−１，２，３の図示しない制御装置（ＣＰＵ）によって独立に開閉制御され、各流量調整弁８−１，２，３中を通過する制御気流の流量を増減することができる。この場合、例えば各画像形成装置２−１，２，３内の設置された図示しない温度センサの出力を制御装置によって検出し、当該制御装置が前記温度センナによって検出された温度に基づいて各流量調整弁８−１，２，３の開閉制御を実行する。
【００５６】
このように構成することによって第１ないし第３の画像形成装置２−１，２，３の各環境制御個所３−１，２，３に対し、別々に加熱又は冷却の強さを調整することができる。
【００５７】
なお、本実施例において、第１ないし第３の流量調整弁８−１，２，３はそれぞれ第１ないし第３の画像形成装置２−１，２，３に設けられているが、給気ダクト１２、排気ダクト１３あるいは空調装置４の制御気流供給口５に配置するように構成することもできる。また、
その他、特に説明しない各部は実施例１と同様に構成され、同様に機能するので、重複する説明は省略する。
【実施例５】
【００５８】
図６は実施例５に係る画像形成システムの概略構成を示す図である。図６において、本実施例に係る画像形成システム１は、実施例３の画像形成システム１の第１及び第２の画像形成装置２−１，２側に第１及び第２の流量調整弁８−１，２と第１及び第２の温度センサ１６−１，２を設けると共に、空調装置４に制御装置９を設けたものである。
【００５９】
第１及び第２の流量調整弁８−１，２は第１及び第２の画像形成装置２−１，２の第１及び第２の制御気流供給口１０−１，２に設けられ、信号線１７ａを介して制御装置９から出力される制御信号に基づいて空調装置４から送られる制御気流の流量を調整する。第１及び第２の温度センサ１６−１，２は第１及び第２の画像形成装置２−１，２内の第１及び第２の環境制御部３−１，２に設けられ、当該環境制御部３−１，２の温度を検出する。制御装置９は信号線１７ｂを介して取得される第１及び第２の温度センサ１６−１，２からの温度検出値に基づいて、信号線１７ｃを介して第１ないし第８の開閉弁及び前記流量調整弁８−１，２の制御信号を出力して前記各弁の開度を制御する。これにより、制御気流の流量が調整される。
【００６０】
本実施例においては、制御装置９が各温度センサ１６−１，２の検出値と予め設定された各環境制御個所３−１，２の目標温度とを比較し、その比較結果に基づいて第１ないし第８の開閉弁７−１〜８の開閉と流量調整弁８−１，２の開度を制御する。
【００６１】
図７は第１の画像形成装置２−１における第１の温度センサ１６−１の検出値と第１の環境制御個所３−１の目標温度との差と、第１ないし第４の開閉弁７−１〜４の開閉状態及び第１の流量調整弁８−１の開度との関係を表として示す図である。本実施例では、同図から分かるように、制御装置９は、第１ないし第４の開閉弁７−１〜４については、
・第１の温度センサ１６−１の検出値と第１の環境制御個所３−１の目標温度との差が−２℃未満の範囲では、第１及び第２の開閉弁７−１，２は閉、第３及び第４の開閉弁７−３，４は開として第１の環境制御個所３−１を加熱する。  
・第１の温度センサ１６−１の検出値と第１の環境制御個所３−１の目標温度との差が２℃以上の範囲では、第１及び第２の開閉弁７−１，２は開、第３及び第４の開閉弁７−３，４は閉とし、第１の環境温度制御個所３−１を冷却する。  
・第１の温度センサ１６−１の検出値と第１の環境制御個所３−１の目標温度との差が−２℃以上２℃未満の範囲では、全ての開閉弁７−１〜４を閉として制御気流が流通しないように制御する。
【００６２】
また、制御装置９は、第１の流量調整弁８−１については、
・第１の温度センサ１６−１の検出値と第１の環境制御個所３−１の目標温度との差が−１５℃未満の範囲では最大開口（全開）
・第１の温度センサ１６−１の検出値と第１の環境制御個所３−１の目標温度との差が−１５℃以上−８℃未満の範囲では５０％開口
・第１の温度センサ１６−１の検出値と第１の環境制御個所３−１の目標温度との差が−８℃以上−２℃未満の範囲では２０％開口
・第１の温度センサ１６−１の検出値と第１の環境制御個所３−１の目標温度との差が−２℃以上２℃未満の範囲では全閉状態
・第１の温度センサ１６−１の検出値と第１の環境制御個所３−１の目標温度との差が２℃以上８℃℃未満の範囲では２０％開口
・第１の温度センサ１６−１の検出値と第１の環境制御個所３−１の目標温度との差が８℃以上１５℃未満の範囲では５０％開口
・第１の温度センサの検出値１６−１と第１の環境制御個所３−１の目標温度との差が１５℃以上の範囲では最大開口
となるように制御する。
【００６３】
このように構成し、制御すると、第１の温度センサ１６−１の検出値と第１の環境制御個所３−１の目標温度との偏差が大きい場合には加熱あるいは冷却の強度を大きくし、第１の温度センサ１６−１の検出値と第１の環境制御個所３−１の目標温度との偏差が小さくなるに従って加熱あるいは冷却の強度を小さくするように制御することが可能である。この制御を第１及び第２の画像形成装置２−１，２ごとに行うことにより、第１及び第２の環境制御個所３−１，２の検出温度に基づいて、当該環境制御個所３−１，２への加熱又は冷却、加熱又は冷却の強さ、あるいはその両方を制御することができる。
【００６４】
なお、本実施例では、制御装置９は空調装置４に搭載されているが、制御装置９を空調装置４及び画像形成装置２−１，２に分割して配置し、あるいは制御装置９を複数の画像形成装置２−１，２のいずれかに搭載することも可能である。また、各環境制御個所３−１，２の目標温度は実験あるいはシミュレーション等により画質の安定、省エネなどの観点で適する条件を求めて設定する。
【００６５】
その他、特に説明しない各部は実施例１及び３と同様に構成され、同様に機能するので、重複する説明は省略する。
【実施例６】
【００６６】
図８は実施例６に係る画像形成システムの概略構成を示す図である。図８において、本実施例に係る画像形成システム１は、実施例１の画像形成システム１の第１ないし第３の画像形成装置２−１，２，３に第１ないし第３の温度センサ１６−１，２，３を設けると共に、空調装置４に制御装置９を設けたものである。
【００６７】
第１ないし第３の温度センサ１６−１，２，３は第１ないし第３の画像形成装置２−１，２，３内の第１ないし第３の環境制御部３−１，２，３にそれぞれ設けられ、当該環境制御部３−１，２，３の温度を検出する。制御装置９は信号線１７ｃ−１，２，３を介して取得した前記温度センサ１６−１，２，３の検出値と予め設定された目標温度とを比較し、空調装置４の制御気流の温度及び流量を制御する。
【００６８】
図９は各画像形成装置２−１，２，３における各温度センサ１６−１，２，３の検出値と各環境制御個所３−１，２，３の目標温度との差の最大値、制御気流流量及び制御気流温度の関係を表として示す図である。すなわち、本実施例では、各画像形成装置２−１，２，３における各温度センサ１６−１，２，３の検出値と各環境制御個所３−１，２，３の目標温度とのそれぞれの差のうちの最大値に基づいて、制御装置９は制御気流の流量と温度を図９に示すように制御する。
【００６９】
図９から分かるように第１ないし第３の温度センサ１６−１，２，３の検出値と第１ないし第３の環境制御個所３−１，２，３の目標温度との差（以下、「温度差」と称す。）に基づいて、制御装置９は、
・温度差が１５℃以上の範囲では、制御気流流量を最大流量、制御気流温度を（全画像形成装置２−１，２，３の環境制御個所３１，２，３のうちの最も小さい目標温度−２０）℃に
・温度差が８℃以上、１５℃未満の範囲では、制御気流流量を６０％流量、制御気流温度を（全画像形成装置の環境制御個所のうちの最も小さい目標温度−１０）℃に
・温度差が２℃以上の８℃未満の範囲では、制御気流流量を３０％流量、制御気流温度を（全画像形成装置の環境制御個所のうちの最も小さい目標温度−５）℃に
・温度差が−２℃以上の２℃未満の範囲では、制御気流流量を１０％流量、制御気流温度を（全画像形成装置の環境制御個所のうちの最も小さい目標温度−１）℃に
・温度差が−２℃℃未満の範囲では、エアコン停止状態に
なるようにそれぞれ制御する。
【００７０】
このように構成し、制御することにより、第１ないし第３の環境制御個所３−１，２，３の温度に基づいて、空調装置４から環境制御部３−１，２，３の温度制御に必要な温度及び流量の制御気流を供給することができる。
【００７１】
その他、特に説明しない各部は実施例１と同様に構成され、同様に機能するので、重複する説明は省略する。
【実施例７】
【００７２】
図１０は実施例７に係る画像形成システムの概略構成を示す図である。図１０において、本実施例に係る画像形成システム１は、実施例１の画像形成システム１において、空調装置４を第１の画像形成装置２−１に搭載したものである。空調装置４は第１ないし第３の画像形成装置２−１，２，３のいずれに搭載されてもよいが、本実施例では、第１の画像形成装置２−１に搭載し、画像形成装置２−１と空調装置４は一体の構成になっている。
【００７３】
このように構成すると、空調装置４を画像形成装置２−１，２，３とは別に設置する必要がなくなることから、画像形成システム１において空調装置４の設置が容易になる。
【００７４】
その他、特に説明しない各部は実施例１と同様に構成され、同様に機能するので、重複する説明は省略する。
【００７５】
なお、各実施例における制御装置９はＣＰＵを備え、ＣＰＵによって各種制御が実行される。ＣＰＵは、制御部と演算部を含み、制御部が命令の解釈とプログラムの制御の流れを制御し、演算部が演算を実行する。また、前記プログラムは図示しないメモリに格納され、実行すべき命令（ある数値又は数値の並び）を前記プログラムの置かれたメモリから取り出し、前記プログラムを実行する。
【００７６】
以上のように、本実施形態によれば、次のような効果を奏する。  
１）複数の画像形成装置２−１，２，３と、画像形成装置２−１，２，３の装置内に空調用の制御気流を供給する空調装置４と、空調装置４から画像形成装置２−１，２，３のそれぞれに前記気流を供給するための複数の制御気流供給口５−１，２，３、５Ａ−１，２、５Ｂ、５Ｃ、５Ｄとを備えているので、制御気流を制御気流供給口５−１，２，３、５Ａ−１，２、５Ｂ、５Ｃ、５Ｄから直接画像形成装置２−１，２，３内に作用させることができる。これにより、設置された画像形成装置毎に空調装置を用意する必要がなくなり、１台の空調装置で必要な空調を実現できるので、低コスト化及び効率化が可能となるとともに、システムの設置における省スペース化を図ることができる。
【００７７】
２）画像形成装置２−１，２，３が、空調装置４から供給される制御気流を装置内の環境制御個所３−１，２，３に案内する機内流路１４−１，２，３と、制御気流供給口５−１，２，３、５Ａ−１，２、５Ｂ、５Ｃ、５Ｄに連結され、制御気流を機内流路１４−１，２，３に取り込む制御気流給気口１０−１，２，３と、を備えているので、空調装置４からの制御気流を直接装置内の環境制御個所３−１，２，３に作用させて、当該個所の温度及び／又は湿度を制御することができる。すなわち、当該個所の空調制御が可能となる。
【００７８】
３）空調装置４側の制御気流供給口５−１，２，３、５Ａ−１，２、５Ｂ、５Ｃ、５Ｄと、制御気流給気口１０−１，２，３間を連通する給気ダクト１３−１，２，３を設けたので、１台の空調装置４から複数台の画像形成装置２−１，２，３の環境制御個所３−１，２，３に制御気流を直接作用させることができる。その結果、効率的な画像形成装置３−１，２，３の空調制御が可能となる。
【００７９】
４）空調装置４が、周囲温度よりも高温の制御気流を発生する凝縮器１０２と、周囲温度よりも低温の制御気流を発生する蒸発器１０３とを有する蒸気圧縮式冷凍機１００を備えているので、環境制御個所３−１，２，３の温度状態に応じて、個々に加熱あるいは冷却を行うことができる。
【００８０】
５）周囲温度よりも高温の制御気流を発生する凝縮器１０２と、周囲温度よりも低温の制御気流を発生する蒸発器１０３のいずれかを通る気流を選択し、制御気流を高温又は低温に切り替える第１ないし第８の開閉弁７−１〜８と、この切り替えを制御する制御装置９を備えているので、環境制御個所３−１，２，３に対し、別々に加熱あるいは冷却を切り替えて、環境制御個所３−１，２，３の温度制御を行うことができる。
【００８１】
６）制御気流の流量を制御する流量制御弁８−１，２を備えたので、環境制御個所３−１，２に対し、制御気流の流量を制御することにより別々に加熱あるいは冷却を切り替えて、環境制御個所３−１，２の温度制御を行うことができる。
【００８２】
７）環境制御個所３−１，２，３の温度を検出する温度センサ１６−１，２，３と、温度センサ１６−１，２，３によって検出された温度に基づいて流路の切替制御あるいは流量制御を行う制御装置９Ｃを備えたので、流路の切り替えあるいは流量の一方あるいは両方を制御することにより、環境制御個所３−１，２，３の加熱又は冷却を行うこと、あるいは加熱及び／又は冷却の強さを制御することができる。その結果、より効率的な画像形成装置３−１，２，３の温度制御が可能となる。
【００８３】
８）環境制御個所３−１，２，３の温度を検出する温度センサ１６−１，２，３と、温度センサ１６−１，２，３によって検出された温度に基づいて制御気流の目標温度を設定し、流量制御手段による流量制御を実行させる制御手段９を備えたので、制御気流の流量と目標温度を管理することにより環境制御個所３−１，２，３の温度制御を効率的に行うことができる。
【００８４】
９）空調装置４が画像形成装置３−１，２，３とは別体に設けられているので、個々の画像形成装置３−１，２，３が大きくなることがなく、画像形成装置３−１，２，３の設置の自由度が向上するとともに省スペース化も図ることができる。
【００８５】
１０）空調装置４が複数の画像形成装置３−１，２，３うちの１つの画像形成装置内に設けられているので、空調装置４を別に設置する必要がなくなり、画像形成システムとしての設置が容易になるとともに省スペース化を図ることができる。
【００８６】
なお、特許請求の範囲における複数の画像形成装置は本実施形態では、符号２−１，２，３に、空調装置は符号４に、画像形成システムは符号１に、接続手段は制御気流供給口５−１，２，３、５Ａ−１，２、５Ｂ、５Ｃ、５Ｄに、環境制御個所は符号３−１，２，３に、流路は機内流路１４−１，２，３に、制御気流給気部は制御気流給気口１０−１，２，３に、制御気流供給部は制御気流供給口５−１，２，３、５Ａ−１，２、５Ｂ、５Ｃ、５Ｄに、ダクトは給気ダクト１３−１，２，３に、周囲温度よりも高温の制御気流を発生する高温気流発生部は凝縮器１０２に、周囲温度よりも低温の制御気流を発生する低温気流発生部は蒸発器１０３に、切替手段は第１ないし第８の開閉弁７−１〜８及び制御装置９に、流量制御手段は流量調整弁８−１，２及び制御装置９、あるいは空調装置４の送風量を制御する制御装置９に、温度検出手段は温度センサ１６−１，２，３に、温度検出手段によって検出された温度に基づいて切替手段による切替制御及び流量制御手段による流量制御の一方を実行させる制御手段は制御装置９に、温度検出手段によって検出された温度に基づいて、制御気流の目標温度及び流量制御手段による流量制御の一方を実行させる制御手段は制御装置９に、それぞれ対応する。
【００８７】
さらに、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施例は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００８８】
１  画像形成システム
２，２−１，２，３  画像形成装置
３−１，２，３  環境制御個所
４  空調装置
５，５−１，２，３、５Ａ−１，２、５Ｂ、５Ｃ、５Ｄ  制御気流供給口
７−１〜８  第１ないし第８の開閉弁
８−１，２  流量調整弁
９  制御装置
１０−１，２，３  制御気流給気口
１３−１，２，３  給気ダクト
１４−１，２，３  機内流路
１６−１，２，３  温度センサ
１０２  凝縮器
１０３  蒸発器
【先行技術文献】
【特許文献】
【００８９】
【特許文献１】特開２００３−１２２２０８号公報
【特許文献２】特許第３９２４４８４号公報
【図１】
2014016385.tif 000003
【図２】
2014016385.tif 000004
【図４】
2014016385.tif 000005
【図５】
2014016385.tif 000006
【図７】
2014016385.tif 000007
【図９】
2014016385.tif 000008
【図１０】
2014016385.tif 000009
【図１１】
2014016385.tif 000010
【図１２】
2014016385.tif 000011
【図３】
2014016385.tif 000012
【図６】
2014016385.tif 000013
【図８】
2014016385.tif 000014